(57)【要約】【課題】股割部が身体に対して一致する方向に配位されたキュロット型プリーツスカートを提供することを課題とする。【解決手段】別個の生地片である、第１後身頃部分ＬＢ、第１前身頃部分ＬＦ、第２前身頃部分ＲＦ、第２後身頃部分ＲＢの順に、これらの身頃部分が筒状をなすように配位され、各身頃部分がそれぞれ隣り合う身頃部分と縫合されることにより製作されたキュロット型プリーツスカートにおいて、上記の第１前身頃部分ＬＦと第２前身頃部分ＲＦとは、それぞれの有するプリーツ数が異なるものであり、第１後身頃部分ＬＢと第２後身頃部分ＲＢとは、それぞれの有するプリーツ数が異なるものであり、これにより、プリーツ１が設けられた外周部イ内を前後に横切るように配位された股割部ロが、スカートの着用時に、着用者の身体の前後方向に一致する方向に配位されたことを特徴とするキュロット型プリーツスカートを提供する。【選択図】          図３
2005113313.tif 000002
【特許請求の範囲】
【請求項１】
別個の生地片である、第１後身頃部分（ＬＢ）、第１前身頃部分（ＬＦ）、第２前身頃部分（ＲＦ）、第２後身頃部分（ＲＢ）の順に、これらの身頃部分が筒状をなすように配位され、各身頃部分における左右両側（１０ｂ，１０ｄ，１０ｅ，１０ｇ，１０ｋ，１０ｍ）が、それぞれ隣り合う身頃部分と縫合されることにより製作された、プリーツ（１）が設けられた外周部（イ）と、外周部（イ）内を前後に横切るように配位された股割部（ロ）とを備えたキュロット型プリーツスカートにおいて、
上記の股割部（ロ）は、上記の各身頃部分（ＬＦ，ＲＦ，ＬＢ，ＲＢ）の一部である股割部分形成代（９２ｘ，９２ｙ，９２ｘ’，９２ｙ’）によって設けられ、
上記の第１前身頃部分（ＬＦ）と第２前身頃部分（ＲＦ）とは、それぞれの有するプリーツ数が異なるものであり、第１後身頃部分（ＬＢ）と第２後身頃部分（ＲＢ）とは、それぞれの有するプリーツ数が異なるものであり、
上記の股割部（ロ）が、スカートの着用時に、着用者の身体の前後方向に一致する方向に配位されたことを特徴とするキュロット型プリーツスカート。
【請求項２】
スカートの左右いずれか一方の前身頃を構成する第１前身頃部分（ＬＦ）と左右いずれか他方の前身頃を構成する第２前身頃部分（ＲＦ）と、スカートの左右いずれか一方の後身頃を構成する第１後身頃部分（ＬＢ）と左右いずれか他方の後身頃を構成する第２後身頃部分（ＲＢ）とを備え、
第１後身頃部分（ＬＢ）、第１前身頃部分（ＬＦ）、第２前身頃部分（ＲＦ）、第２後身頃部分（ＲＢ）の順に配位されて、プリーツ（１）が設けられた外周部（イ）と、外周部（イ）内を前後に横切るように配位された股割部（ロ）とを形成するものであり、
上記の各身頃部分はプリーツ（１）を有し、これらの各プリーツ（１）は、上下方向に伸びる表折り線（４）と裏折り線（５）とで折り返されて形成されたものであり、他の部分の生地に隠れずに当該スカートの表面に現れた部分である表襞（２）と、他の部分の生地に隠れて、当該スカートの表面に現れない部分である裏襞（３）とを備えたものであり、
上記の裏襞（３）は、表折り線（４）を隔てて表襞（２）に隣接する部分である第１裏襞（３１）と、表折り線（４）を隔てずに表襞（２）に隣接する部分である第２裏襞（３２）とに区画され、そして、第１裏襞（３１）と第２裏襞（３２）との間は裏折り目線（５）で隔てられたものであり、
そして、上記の第２前身頃部分（ＲＦ）と第１後身頃部分（ＬＢ）とは、上記の第１裏襞（３１）と同じく、表折り線（４）を隔てて表襞（２）に隣接する部分である表側重なり代（９１ｙ）と、この表側重なり代（９１ｙ）に隣接する部分であると共にスカートの前後方向に伸び、股割部（ロ）の一部を構成する股割部形成代（９２ｙ，９２ｙ’）とを備え、
上記の表側重なり代（９１ｙ）は、他のプリーツ（１）の有する第１裏襞（３１）よりも左右方向の寸法が大きいものであり、
また、上記の第１前身頃部分（ＬＦ）と第１後身頃部分（ＲＢ）とは、上記の第２裏襞（３２）と同じく、表折り線（４）を隔てずに表襞（２）に隣接する裏側重なり代（９１ｘ）と、裏側重なり代（９１ｘ）に隣接する部分であると共にスカートの前後方向に伸び、股割部（ロ）の一部を構成する股割部形成代（９２ｘ，９２ｘ’）とを備え、
上記の裏側重なり代（９１ｘ）は、他のプリーツ（１）の有する第２裏襞（３２）よりも左右方向の寸法が大きいものであり、
上記の股割部（ロ）が、第１前身頃部分（ＬＦ）の一部である第１前側股割部形成代（９２ｘ）と、第２前身頃部分（ＲＦ）の一部である第２前側股割部形成代（９２ｙ）と、第１後身頃部分（ＬＢ）の一部である第１後側股割部形成代（９２ｙ’）と、第２後身頃部分（ＲＢ）の一部である第２後側股割部形成代（９２ｘ’）とを備え、
第１前側股割部形成代（９２ｘ）は、第２前側股割部形成代（９２ｙ）とスカートの上部において連続すると共に、第１後側股割部形成代（９２ｙ’）とスカートの下部において連続し、
第２後側股割部形成代（９２ｘ’）は、第１後側股割部形成代（９２ｙ’）とスカートの上部において連続すると共に、第２前側股割部形成代（９２ｙ）とスカートの下部において連続し、
上記の第１前身頃部分（ＬＦ）と第２前身頃部分（ＲＦ）とは、それぞれの有するプリーツ数が異なるものであり、第１後身頃部分（ＬＢ）と第２後身頃部分（ＲＢ）とは、それぞれの有するプリーツ数が異なるものであることを特徴とするキュロット型プリーツスカート。
【請求項３】
上記の股割部（ロ）が、スカートの着用時に、着用者の身体の前後方向に一致する方向に配位されたものであって、
かつ、上記の裏側重なり代（９１ｘ）の表面側には、他のプリーツ（１）が、表折り線（４）が少なくとも２つ存在するように重ねて配位されたことを特徴とする、請求項２に記載のキュロット型プリーツスカート。
【請求項４】
上記スカートの、ヒップライン（ｈ）あるいは裾ライン（ｓ）における、表面全周に存在するプリーツ数をＸとし、
第１前身頃部分（ＬＦ）の裏側重なり代（９１ｘ）と重なる第２前身頃部分（ＲＦ）の表折り線（４）、
及び、第２後身頃部分（ＲＢ）の裏側重なり代（９１ｘ）と重なる第１後身頃部分（ＬＢ）の表折り線（４）の数をそれぞれＹとした場合、
上記の第１前身頃部分（ＬＦ）と第２後身頃部分（ＲＢ）とが各々有するプリーツ数が、それぞれ、計算式
Ｘ／４−Ｙ
で表され、
上記の第２前身頃部分（ＲＦ）と第１後身頃部分（ＬＢ）とが各々有するプリーツ数が、それぞれ、計算式
Ｘ／４＋Ｙ
で表されたことを特徴とする、請求項２または３に記載のキュロット型プリーツスカート。
【請求項５】
請求項１から４のいずれかに記載のキュロット型プリーツスカートを製造するに際して、長尺の原料生地（Ｍ）を裁断する方法において、
上記の第１前身頃部分（ＬＦ）、第２前身頃部分（ＲＦ）、第１後身頃部分（ＬＢ）、第２後身頃部分（ＲＢ）を別生地として裁断するものであり、
長尺の原料生地（Ｍ）から、当該生地（Ｍ）の短手方向に、上記各身頃部分（ＬＦ，ＲＦ，ＬＢ，ＲＢ）のうち、左右方向の寸法が大きな方の身頃部分（ＲＦ，ＬＢ）が１枚、左右方向の寸法が小さな方の身頃部分（ＬＦ，ＲＢ）が２枚、それぞれ切り出されることを特徴とする、キュロット型プリーツスカートの生地の裁断方法。
【発明の詳細な説明】
【技術分野】
【０００１】
本願発明は、特に、外観上通常のプリーツスカートに見えるように製作されたキュロット型プリーツスカートの改良に関するものである。
【背景技術】
【０００２】
【特許文献１】実開昭６２−１３２１１８号公報
【０００３】
従来より、プリーツスカートは、女子学生の制服として広く採用され量産されている。
このプリーツスカートにおいては、種々の形態のものが提案されており、その一例として、特許文献１に記載の考案のように、スカートの裾がめくれることを防止するために、相対向する身頃に面ファスナーを設けたものが存在している。
【０００４】
また、このプリーツスカートの一種として、スラックスのように、プリーツが設けられた外周部内を前後に横切るように配位された股割部を設けた、いわゆるキュロット型プリーツスカートが存在するが、本願の発明者らは、このキュロット型プリーツスカートを女子学生の制服として適したものとすべく、鋭意開発を行っている。
なお、特許文献１に記載の考案に係るスカートは、身頃の股の部分に単に面ファスナーを設けたものであるが、このキュロット型プリーツスカートは、股の部分が常時分離したものであって、上記考案に係るスカートとは異なるものである。
【０００５】
このキュロット型プリーツスカートは、図７に示すような形状に裁断された、別個の４枚の生地片である左前身頃部分，右前身頃部分，左後身頃部分，右後身頃部分１００を用い、これらの各身頃部分１００の左右両側がそれぞれ縫合され、ウエストベルト部材（図１参照）を取り付けて、平面視による概略形状が、図８に示されるように縫製されたものである。
上記の縫合に際して、具体的には、いわゆるパーマネントプレスによって、各身頃部分１００に、直線状の山折線１０３ａと谷折線１０３ｂとからなるプリーツ１０３を形成し、そして、各身頃部分をウエストベルト部材に縫い付けるに際して、「いせ込み」、即ち、ヒップ部分よりもウエスト部分のプリーツ幅が小さくなるように生地を入れ込みながら縫製する。
また、上記各身頃部分１００の左右いずれかの端辺には、股ぐり部分である股上辺１０１の一部と、股上辺１０１と連続して形成された股下辺１０２とによって、図８に示すように股割部１０２が形成されており、この股割部１０２においては、左前身頃部分１００ＬＦと右前身頃部分１００ＲＦの股上辺１０１同士、左後身頃部分１００ＬＢと右後身頃部分１００ＲＢの股上辺１０１同士、そして左前身頃部分１００ＬＦと左後身頃部分１００ＬＢの股下辺１０２同士、右前身頃部分１００ＲＦと右後身頃部分１００ＲＢの股下辺１０２同士がそれぞれ縫合される。
【発明の開示】
【発明が解決しようとする課題】
【０００６】
しかし、上記の各身頃部分１００は、４枚共ほぼ同一形状のものである。図７，図８に示した例においては、各身頃部分１００に５本のプリーツ１０３を有し、キュロット型プリーツスカートの表面全周に存在するプリーツ１０３の数が２０本となるものである。
ここで、左前身頃部分１００ＬＦと右前身頃部分１００ＲＦとの間、そして左後身頃部分１００ＬＢと右後身頃部分１００ＲＢとの間の接続は、図８に示すように重なり代１０４を持ってなされる。そのため、股割部１０２が着用時の身体の前後方向に対して一致せず、斜めに配位されてしまう。
上記により、このキュロット型プリーツスカートを着用した場合、歩行などで股割部１０２と着用者の脚部とが触れることにより、股割部１０２が身体の前後方向に一致する方向へずれようとするために、スカートが身体に対して回転するようにずれてしまい、時々それを修正しなければならないなど、着用者に不快感を与えることがあった。
【０００７】
これは、通常のキュロットスカートでは起こらないものであり、プリーツ１０３を設けたキュロット型プリーツスカートに特有の問題であった。その理由は、外観上において股割部１０２を見せず、通常のプリーツスカート風に見せるために、重なり代１０４を設けたことによる。この重なり代１０４を設けたことにより、例えば前身頃の場合では、左前身頃部分１００ＬＦに設けた重なり代１０４に、右前身頃部分１００ＲＦのプリーツ１０３の一部を重ねて配位し、各身頃部分１００ＬＦ，１００ＲＦのプリーツ１０３が、通常のプリーツスカートと同様にして、連続して隣り合っているように見えるようにでき、股割部１０２がプリーツ１０３の奥に隠れるようにできる。
ここで、図８に示すように、左前身頃部分１００ＬＦと右前身頃部分１００ＲＦのプリーツ１０３の数を等しい数（スカートの全周におけるプリーツ１０３の数が２０本の場合は、左前身頃部分１００ＬＦと右前身頃部分１００ＲＦの各々に設けられたプリーツ１０３の数は、全体の１／４である５本となる。）とした場合、後身頃も前身頃に対して点対象の関係にあるから、図８に示すように、股割部１０２が上記の重ね代１０４の分だけ斜め方向に配位されてしまう。
【０００８】
本願発明は上記の問題に鑑み、股割部が身体に対して一致する方向に配位されたキュロット型プリーツスカートを提供することを課題とする。
また、製造コストの低いキュロット型プリーツスカートを提供することを課題とする。
【０００９】
なお付言すると、特許文献１には、スカートの裾がめくれることを防止するために、相対向する身頃に面ファスナーを設けたものが開示されているが、これは、本願発明のような課題を解決するものではない。
【課題を解決するための手段】
【００１０】
上記課題を解決するために、本願の請求項１に記載の発明は、別個の生地片である、第１後身頃部分ＬＢ、第１前身頃部分ＬＦ、第２前身頃部分ＲＦ、第２後身頃部分ＲＢの順に、これらの身頃部分が筒状をなすように配位され、各身頃部分における左右両側１０ｂ，１０ｄ，１０ｅ，１０ｇ，１０ｋ，１０ｍが、それぞれ隣り合う身頃部分と縫合されることにより製作された、プリーツ１が設けられた外周部イと、外周部イ内を前後に横切るように配位された股割部ロとを備えたキュロット型プリーツスカートにおいて、上記の股割部ロは、上記の各身頃部分ＬＦ，ＲＦ，ＬＢ，ＲＢの一部である股割部分形成代９２ｘ，９２ｙ，９２ｘ’，９２ｙ’によって設けられ、上記の第１前身頃部分ＬＦと第２前身頃部分ＲＦとは、それぞれの有するプリーツ数が異なるものであり、第１後身頃部分ＬＢと第２後身頃部分ＲＢとは、それぞれの有するプリーツ数が異なるものであり、上記の股割部ロが、スカートの着用時に、着用者の身体の前後方向に一致する方向に配位されたことを特徴とするキュロット型プリーツスカートを提供する。
なお、本願発明の実施の形態の一例の説明においては、第１前身頃部分が左前身頃部分ＬＦに、第２前身頃部分が右前身頃部分ＲＦに、第１後身頃部分が左後身頃部分ＬＢに、第２後身頃部分が右後身頃部分ＲＢに各々対応させているが、前後左右の組み合わせは、本例のものに限定して解釈されるべきものではない。
【００１１】
また、本願の請求項２に記載の発明は、スカートの左右いずれか一方の前身頃を構成する第１前身頃部分ＬＦと左右いずれか他方の前身頃を構成する第２前身頃部分ＲＦと、スカートの左右いずれか一方の後身頃を構成する第１後身頃部分ＬＢと左右いずれか他方の後身頃を構成する第２後身頃部分ＲＢとを備え、第１後身頃部分ＬＢ、第１前身頃部分ＬＦ、第２前身頃部分ＲＦ、第２後身頃部分ＲＢの順に配位されて、プリーツ１が設けられた外周部イと、外周部イ内を前後に横切るように配位された股割部ロとを形成するものであり、上記の各身頃部分はプリーツ１を有し、これらの各プリーツ１は、上下方向に伸びる表折り線４と裏折り線５とで折り返されて形成されたものであり、他の部分の生地に隠れずに当該スカートの表面に現れた部分である表襞２と、他の部分の生地に隠れて、当該スカートの表面に現れない部分である裏襞３とを備えたものであり、上記の裏襞３は、表折り線４を隔てて表襞２に隣接する部分である第１裏襞３１と、表折り線４を隔てずに表襞２に隣接する部分である第２裏襞３２とに区画され、そして、第１裏襞３１と第２裏襞３２との間は裏折り目線５で隔てられたものであり、そして、上記の第２前身頃部分ＲＦと第１後身頃部分ＬＢとは、上記の第１裏襞３１と同じく、表折り線４を隔てて表襞２に隣接する部分である表側重なり代９１ｙと、この表側重なり代９１ｙに隣接する部分であると共にスカートの前後方向に伸び、股割部ロの一部を構成する股割部形成代９２ｙ，９２ｙ’とを備え、上記の表側重なり代９１ｙは、他のプリーツ１の有する第１裏襞３１よりも左右方向の寸法が大きいものであり、また、上記の第１前身頃部分ＬＦと第１後身頃部分ＲＢとは、上記の第２裏襞３２と同じく、表折り線４を隔てずに表襞２に隣接する裏側重なり代９１ｘと、裏側重なり代９１ｘに隣接する部分であると共にスカートの前後方向に伸び、股割部ロの一部を構成する股割部形成代９２ｘ，９２ｘ’とを備え、上記の裏側重なり代９１ｘは、他のプリーツ１の有する第２裏襞３２よりも左右方向の寸法が大きいものであり、上記の股割部ロが、第１前身頃部分ＬＦの一部である第１前側股割部形成代９２ｘと、第２前身頃部分ＲＦの一部である第２前側股割部形成代９２ｙと、第１後身頃部分ＬＢの一部である第１後側股割部形成代９２ｙ’と、第２後身頃部分ＲＢの一部である第２後側股割部形成代９２ｘ’とを備え、第１前側股割部形成代９２ｘは、第２前側股割部形成代９２ｙとスカートの上部において連続すると共に、第１後側股割部形成代９２ｙ’とスカートの下部において連続し、第２後側股割部形成代９２ｘ’は、第１後側股割部形成代９２ｙ’とスカートの上部において連続すると共に、第２前側股割部形成代９２ｙとスカートの下部において連続し、上記の第１前身頃部分ＬＦと第２前身頃部分ＲＦとは、それぞれの有するプリーツ数が異なるものであり、第１後身頃部分ＬＢと第２後身頃部分ＲＢとは、それぞれの有するプリーツ数が異なるものであることを特徴とするキュロット型プリーツスカートを提供する。
なお、「スカートの上部」とは、図１に示す接続箇所ａ，ｃのラインである股ぐり部分よりも上部を指し、「スカートの下部」とは、股ぐり部分よりも下部を指す。
【００１２】
また、本願の請求項３に記載の発明は、上記の股割部ロが、スカートの着用時に、着用者の身体の前後方向に一致する方向に配位されたものであって、かつ、上記の裏側重なり代９１ｘの表面側には、他のプリーツ１が、表折り線４が少なくとも２つ存在するように重ねて配位されたことを特徴とする、請求項２に記載のキュロット型プリーツスカートを提供する。
なお、「裏側重なり代９１ｘの表面側に表折り線４が存在する」とは、裏側重なり代９１ｘの端部に表折り線４が重なる場合も含む。具体的には、下記の実施の形態の一例において、左前身頃部分ＬＦの裏側重なり代９１ｘの端部である仮想線６（６Ｌ）に、右前身頃部分ＲＦの表折り線４（４Ｒ）が重なる場合である（図３参照）。
【００１３】
また、本願の請求項４に記載の発明は、当該スカートの、ヒップラインｈあるいは裾ラインｓにおける、表面全周に存在するプリーツ数をＸとし、第１前身頃部分ＬＦの裏側重なり代９１ｘと重なる第２前身頃部分ＲＦの表折り線４、及び第２後身頃部分ＲＢの裏側重なり代９１ｘと重なる第１後身頃部分ＬＢの表折り線４の数をそれぞれＹとした場合、上記の第１前身頃部分ＬＦと第２後身頃部分ＲＢとが各々有するプリーツ数が、それぞれ、計算式
Ｘ／４−Ｙ
で表され、上記の第２前身頃部分ＲＦと第１後身頃部分ＬＢとが各々有するプリーツ数が、それぞれ、計算式
Ｘ／４＋Ｙ
で表されたことを特徴とする、請求項２または３に記載のキュロット型プリーツスカートを提供する。
【００１４】
また、本願の請求項５に記載の発明は、請求項１から４のいずれかに記載のキュロット型プリーツスカートを製造するに際して、長尺の原料生地Ｍを裁断する方法において、上記の第１前身頃部分ＬＦ、第２前身頃部分ＲＦ、第１後身頃部分ＬＢ、第２後身頃部分ＲＢを別生地として裁断するものであり、長尺の原料生地Ｍから、当該生地Ｍの短手方向に、上記各身頃部分ＬＦ，ＲＦ，ＬＢ，ＲＢのうち、左右方向の寸法が大きな方の身頃部分ＲＦ，ＬＢが各々１枚、左右方向の寸法が小さな方の身頃部分ＬＦ，ＲＢが２枚、それぞれ切り出されることを特徴とする、キュロット型プリーツスカートの生地の裁断方法を提供する。
【発明の効果】
【００１５】
本願の請求項１ないし４に記載の発明においては、股割部ロが身体に対して一致する方向に配位されたキュロット型プリーツスカートを提供することにより、従来のように、スカートが身体に対して回転するようにずれてしまい、時々それを修正しなければならないなど、着用者に不快感を与えることがない。
【００１６】
また、本願の請求項５に記載の発明においては、長尺の原料生地Ｍから、当該生地の短手方向に、左右方向の寸法が大きな方の身頃部分が１枚、左右方向の寸法が小さな方の身頃部分が２枚、それぞれ切り出されることにより、従来よりも余り布の発生を小さくすることができ、製造コストの低いキュロット型プリーツスカートを提供することができる。
【発明を実施するための最良の形態】
【００１７】
以下、図面に基づき本願発明の実施の形態の一例をとりあげて説明する。図１は、本例のキュロット型プリーツスカートの外観を示す斜視図であり、図３及び図４は同スカートの各身頃部分の組み合わせを示す概略説明図、図５は同スカートの左前身頃部分及び右後身頃部分を示す平面図、図６は同スカートの右前身頃部分及び左後身頃部分を示す平面図である。
なお、本願発明における前後左右の表現については、スカートの着用者側から見た方向としている。また、表裏の表現については、スカートの着用時における外側を「表」、内側を「裏」としている。
【００１８】
本例のキュロット型プリーツスカートは、生地を型紙に沿って、左前身頃部分ＬＦ（図５に示す）及び右後身頃部分ＲＢ（図５に示したものとほぼ同形状）と、右前身頃部分ＲＦ（図６に示す）及び左後身頃部分ＬＢ（図６に示したものとほぼ同形状）の別個の生地片に裁断し、各身頃部分にプリーツ１を形成した後に、左前身頃部分ＬＦ−右前身頃部分ＲＦ−右後身頃部分ＲＢ−左後身頃部分ＬＢの順に配位し、各身頃部分の左右両端同士を縫合して、図３及び図４に示すように、プリーツ１が設けられた外周部イと、外周部イ内を前後に横切るように配位された股割部ロとを備えた筒状にし、その上端にウエストベルト部材８を縫合して図１に示すように形成したもので、表面全周に合計２０本のプリーツ１が形成されている。なお、このプリーツ１の本数は、１６本、２４本など、適宜変更できる。また、プリーツ１はいわゆるパーマネントプレスによって形成されたものである。
なお、本例においては、各身頃部分ＬＦ，ＲＦ，ＬＢ，ＲＢを別個の生地片としたが、これに限られるものではなく、例えば左身頃と右身頃の２つの生地片で身頃部分を形成したものなどとしても良く、適宜変更し得る。
【００１９】
ここで、各プリーツ１について、表襞２と裏襞３に区画して説明を行う。ここで表襞２とは、各プリーツ１にあって、他の部分の生地に隠れずにスカート表面に現れた地部分を言う。これに対して、裏襞３とは各プリーツ１にあって、他の部分の生地に隠れて、表面に現れない部分をいう。なお、本願においては、図２に示すように、裏襞３のうち、プリーツ１の表面の、山折りされた表折り線４を隔てて表襞２に隣接する部分を第１裏襞３１と呼び、表折り線４を隔てずに表襞２に隣接する部分を第２裏襞３２と呼ぶ。第１裏襞３１と第２裏襞３２とは、谷折りされた裏折り目線５を境として折り畳まれ重ねられるものであり、第１裏襞３１は第２裏襞３２の表側に重ねられることとなる。なお、このプリーツ１のプリーツ幅は、表折り線４や裏折り目線５の形成される間隔を変更することにより、適宜変更できる。
なお、図２に示した二点鎖線は、表襞２と第２裏襞３２との境界を示す仮想線６を示すもので、この仮想線６は生地上には表れないが、プリーツ１が折り畳まれた場合には、この仮想線６上に表折り線４が位置することとなる。
また、本願においては説明上、各表折り線４を各プリーツ１の境とし、表折り線４の数をプリーツ数とみなすものとする。
【００２０】
上記に示した、各身頃部分ＬＦ，ＲＦ，ＬＢ，ＲＢの縫合は、具体的には、図３に示す接続箇所ａ〜ｅを縫合することによりなされるものである。接続箇所ａにおいては、左前身頃部分ＬＦと右前身頃部分ＲＦとが縫合される。接続箇所ｂにおいては、右前身頃部分ＲＦと右後身頃部分ＲＢとが縫合される。接続箇所ｃにおいては、右後身頃部分ＲＢと左後身頃部分ＬＢとが縫合される。接続箇所ｄにおいては、左後身頃部分ＬＢと左前身頃部分ＬＦとが縫合される。接続箇所ｅにおいては、左前身頃部分ＬＦと左後身頃部分ＬＢとが縫合されると共に、右前身頃部分ＲＦと右後身頃部分ＲＢとが縫合される。
【００２１】
なお、上記の縫合の際に、ウエストサイズとヒップサイズとに寸法差を付けるため、いせ込み（プリーツの入れ込み）を行う。これは、ウエストラインｗの寸法が、ヒップラインｈや裾ラインｓよりも小さくなるように、ウエストラインｗにおける表折り線４を、縫製前のプリーツ１に形成された状態よりも、第２裏襞３２上に大きく重ね、完成した際のスカートにおける、ウエストラインｗのプリーツ幅を、ヒップラインｈや裾ラインｓのプリーツ幅よりも小さくすることである。
【００２２】
以下、図３〜図６と共に、前身頃における、左前身頃部分ＬＦと右前身頃部分ＲＦとの関係を例にとり説明する。なお、後身頃は前身頃に対して点対象の関係にあるから、右後身頃部分ＲＢと左後身頃部分ＬＢとの関係についても、下記の説明と同様である。よって後身頃については、特に必要な事項以外の説明を省略する。
【００２３】
左前身頃部分ＬＦは、図５に示すような生地片であって、外周形状が、左右方向への直線状の上辺１０ａ、上下方向への直線状の右辺１０ｂ、左右方向へ伸び、プリーツ１が設けられる部分においては直線状であり、かつ、左端近くにおいては、左方に向かうにつれ、上方に湾曲する曲線状である底辺１０ｃ、やや左寄り下方へと伸びる直線及び左方へと大きく湾曲する曲線とからなる股上辺１０ｄ、股上辺１０ｄの左端部分からやや左寄り下方へと伸びる直線状の股下辺１０ｅの各々より構成されている。そして、右前身頃部分ＲＦや左後身頃部分ＬＢとの縫合のため、右辺１０ｂ（縫合相手が左後身頃部分ＬＢ）、股上辺１０ｄ（同右前身頃部分ＲＦ）、股下辺１０ｅ（同左後身頃部分ＬＢ）には、それぞれ縫い代７が設けられている。
なお、右辺１０ｂ側の縫い代７の左端部分については、左後身頃部分ＬＢに対して縫合した際に裏折り線５’となる。
【００２４】
プリーツ１は、この左前身頃部分ＬＦには３本設けられる。このプリーツ１は、左前身頃部分ＬＦにおける、図示した最も右側が、表折り線４と裏折り線５’、他の２本分が、表折り線４と裏折り線５とが組み合わされたものから形成される。
なお、図５において２点鎖線で示したものは、表側から見て表折り線４を山折りし、裏折り線５を谷折りした際に、表折り線４が重なる位置を示した仮想線６である。ここで、最も左側に図示された仮想線６（６Ｌ）は、図６に示す右前身頃部分ＲＦにおける最も右側の表折り線４（４Ｒ）と縫合後に重なる位置を示す。
また、図示における最も左側の仮想線６（６Ｌ）から股上辺１０ｄ及び股下辺１０ｅまでの範囲のうち、破線で図示した境界線９ｙを境として右側が裏側重なり代９１ｘであり、左側が左前側股割部形成代９２ｘ（右後身頃部分ＲＢにおいては９２ｘ’）となる。なお、この境界線９ｙは、上辺１０ａにおける、股上辺１０ｄ側の縫い代７の右端部分との接点９ｘから下ろした垂線である。この接点９ｘは、縫合後、図３における外周部イとの一致点ａ’に配位される。
この裏側重なり代９１ｘは、第２裏襞３２と同様のものであるが、後述のように、裏側重なり代９１ｘの表面側に、他のプリーツ１が、本例においては２本、重ねて配位されるため、左右方向の寸法については、他のプリーツ１における第２裏襞３２よりも大きく形成されている。
なお、上記の他のプリーツ１のプリーツ幅と同様に、この裏側重なり代９１ｘや、後述する表側重なり代９１ｙの寸法も適宜変更が可能である。
【００２５】
次に、右前身頃部分ＲＦについて述べる。なお、左前身頃部分ＬＦと同一の機能を有する部分は、特に区別を要する部分以外については、同一の記号を用いて説明する。
右前身頃部分ＲＦは、図６に示すような生地片であって、外周形状は、左右方向の長さが異なるものの、図５に示す左前身頃部分ＬＦと対称形であり、左右方向への直線状の上辺１０ｆ、上下方向への直線状の左辺１０ｇ、左右方向へ伸び、プリーツ１が設けられる部分においては直線状であり、かつ、右端近くにおいては、右方に向かうにつれ、上方に湾曲する曲線状である底辺１０ｈ、やや右寄り下方へと伸びる直線及び右方へと大きく湾曲する曲線とからなる股上辺１０ｋ、股上辺１０ｋの右端部分からやや右寄り下方へと伸びる直線状の股下辺１０ｍの各々より構成されている。そして、左前身頃部分ＬＦや右後身頃部分ＲＢとの縫合のため、左辺１０ｇ（縫合相手が右後身頃部分ＲＢ）、股上辺１０ｋ（同左前身頃部分ＬＦ）、股下辺１０ｍ（同右後身頃部分ＲＢ）には、それぞれ縫い代７が設けられている。
なお、左辺１０ｇ側の縫い代７の右端部分については、右後身頃部分ＲＢに対して縫合した際に裏折り線５’となる。
【００２６】
この右前身頃部分ＲＦには、左前身頃部分ＬＦと異なり、プリーツ１が７本設けられており、左前身頃部分ＬＦと右前身頃部分ＲＦと、そして左前身頃部分ＬＦとほぼ同一形状の右後身頃部分ＲＢと、右前身頃部分ＲＦとほぼ同一形状の左後身頃部分ＬＢとをそれぞれ縫合することにより、スカートの全周のプリーツ数が２０本となる。
この右前身頃部分ＲＦにおけるプリーツ１は、最も右側が、表折り線４（４Ｒ）のみからなり、他の６本分が、左前身頃部分ＬＦと同様、表折り線４と裏折り線５とが組み合わされたものである。ここで、最も左側に図示された仮想線６は、図５に示したものとほぼ同一の形状である右後身頃部分ＲＢの最も右側の表折り線４と縫合後に重なる位置を示す。
また、この右前身頃部分ＲＦにおいても、左前身頃部分ＬＦと同様に、図示における最も右側の表折り線４（４Ｒ）から股上辺１０ｋ及び股下辺１０ｍまでの範囲のうち、破線で図示した境界線９ｙを境として左側が表側重なり代９１ｙであり、右側が右前側股割部形成代９２ｙ（左後身頃部分ＬＢにおいては９２ｙ’）となる。なお、この境界線９ｙは、上辺１０ｆにおける、股上辺１０ｋ側の縫い代７の左端部分との接点９ｘから下ろした垂線である。この接点９ｘは、縫合後、図３における外周部イとの一致点ａ’に配位される。
この表側重なり代９１ｙは、第１裏襞３１と同様のものであるが、上記の裏側重なり代９１ｘと重なるものであるため、左右方向の寸法については、裏側重なり代９１ｘと等しく、他のプリーツ１における第１裏襞３１よりも大きく形成されている。
【００２７】
上記のようにして形成された各前身頃部分ＬＦ，ＲＦの縫合は、各々に設けられた各股割部形成代９２ｘ，９２ｙ同士を重ね合わせ、縫い代７において縫合することによって行う。
ここで、左前身頃部分ＬＦの裏側重なり代９１ｘは、図３に示すように、着用者の身体の前後方向に対して（着用者から見て）左寄りに配位され、そして、裏側重なり代９１ｘの表側には、プリーツ１の表折り線４が２つ分、重なって配位される。このように、プリーツ１が裏側重なり代９１ｘにおいて重ねられることにより、本願のキュロット型プリーツスカートの着用者が、歩行する程度に脚を動かしても、外観上、股割部ロが見えず、通常のプリーツスカート風の外観を保つことができる。
【００２８】
ここで、図３に示すように、裏側重なり代９１ｘ及び表側重なり代９１ｙが、スカートのプリーツ１が設けられた部分である外周部イに配位されるものであり、これらと隣接する股割部形成代９２ｘ，９２ｙが外周部イ内を前後に横切るように配位されて股割部ロを形成する。
股割部ロは、図３に示した、接続箇所ａ，ｅ，ｃに渡る部分であって、各身頃部分ＬＦ，ＲＦにおいては、股上辺１０ｄ，１０ｋが前身頃側の接続箇所ａに相当し、股下辺１０ｅ，１０ｍが接続箇所ｅに相当する。なお、後身頃側においても同様であり、右後身頃部分ＲＢと左後身頃部分ＬＢとに、上記と同様に形成された股上辺が接続箇所ｃに相当し、股下辺が接続箇所ｅに相当する。ここで、接続箇所ａ，ｅ，ｃがキュロット型スカートの股ぐり部分を構成する。
【００２９】
そして、接続箇所ａにおける外周部イとの一致点ａ’が着用者の身体の前方中央に位置し、接続箇所ｃにおける外周部イとの一致点ｃ’が着用者の身体の後方中央に位置する。そのため、股割部ロは、着用者の身体の前後方向に一致するように配位される。
よって従来のように、股割部ロのずれによりスカートが身体に対して回転するようにしてずれてしまうことはなく、着用者に不快感を与えることがないものとできる。
【００３０】
なお、本例における各身頃部分ＬＦ，ＲＦ，ＬＢ，ＲＢに設けられるプリーツ数は、ヒップラインｈあるいは裾ラインｓにおける、スカートの表面全周に存在するプリーツ数をＸとし、左前身頃部分ＬＦの裏側重なり代９１ｘと重なる右前身頃部分ＲＦの表折り線４、あるいは右後身頃部分ＲＢの裏側重なり代９１ｘと重なる左後身頃部分ＬＢの表折り線４の数をそれぞれＹとした場合、上記の左前身頃部分ＬＦと右後身頃部分ＲＢとが各々有するプリーツ数が、それぞれ、計算式
Ｘ／４−Ｙ
で表される。本例においては、スカートの全周のプリーツ数が２０本であり、裏側重なり代９１ｘの表側には、図３に示すように、プリーツ１の表折り線４が２つ存在する。つまりＹ＝２であるため、上記各身頃部分ＬＦ，ＲＢの有するプリーツ数は、２０／４−２＝３（本）となる。
また、上記の右前身頃部分ＲＦと左後身頃部分ＬＢとが各々有するプリーツ数が、それぞれ、計算式
Ｘ／４＋Ｙ
で表される。本例においては、上記と同様、スカートの全周のプリーツ数が２０本であり、裏側重なり代９１ｘの表側には、図３に示すように、プリーツ１の表折り線４が２つ存在する。つまりＹ＝２であるため、上記各身頃部分ＲＦ，ＬＢの有するプリーツ数は、２０／４＋２＝７（本）となる。
【００３１】
上記の計算式はつまり、左前身頃部分ＬＦあるいは右後身頃部分ＲＢの裏側重なり代９１ｘと重なる、右前身頃部分ＲＦあるいは左後身頃部分ＬＢの表折り線４の数の分だけのプリーツ１を片寄らせて各身頃部分ＬＦ，ＲＦ，ＬＢ，ＲＢを形成することにより、各身頃部分を縫合してスカートを製作した際において、通常のプリーツスカート風の外観を保つために、裏側重なり代９１ｘにおいてプリーツ１が重ねられても、股割部ロが、着用者の身体の前後方向に一致するように配位されることを示している。
ここで、Ｙの数値（本例ではＹ＝２）については、適宜設定して実施が可能であるが、スカートの表面全周に存在するプリーツ数Ｘが大きい場合は、Ｙもそれに応じて大きく設定することが望ましい。
【００３２】
同様にして、スカートの全周のプリーツ数が１６本の場合、右前身頃部分ＲＦと左後身頃部分ＬＢとが各々有するプリーツ数が２本、右前身頃部分ＲＦと左後身頃部分ＬＢとが各々有するプリーツ数が６本となる。また、スカートの全周のプリーツ数が２４本の場合、右前身頃部分ＲＦと左後身頃部分ＬＢとが各々有するプリーツ数が４本、右前身頃部分ＲＦと左後身頃部分ＬＢとが各々有するプリーツ数が８本となって、各々上式が成り立つ（Ｙ＝２とした場合）。
なお、スカートの全周のプリーツ数が１８本や２２本など、４の倍数とならない場合は上式が成り立たないが、実際には、スカートの全周のプリーツ数が１８本の場合を例にとると、右前身頃部分ＲＦと左後身頃部分ＬＢとが各々有するプリーツ数を３本、右前身頃部分ＲＦと左後身頃部分ＬＢとが各々有するプリーツ数が６本とすることにより製作が可能であって、本願発明に係るキュロット型プリーツスカートは、上記計算式で示されるものに必ずしも限定されるものではない。
【００３３】
次に、各身頃部分ＬＦ，ＲＦ，ＬＢ，ＲＢの裁断方法について説明する。
従来、キュロット型プリーツスカートに用いられていた身頃部分は、図７に示すようなものを１着あたり４枚用いるものであり、長尺の原料生地Ｍから各身頃部分１００を別生地として切り出す際には、図９（Ａ）に示すように、周囲に余り布が発生するため、製造コストの点で不利なものであった。具体的には、原料生地Ｍの短手方向の寸法は１８０cmが標準となっており、短手方向から各１枚の身頃部分１００を切り出すことしかできなかった。
【００３４】
これに対し、本例においては、左前身頃部分ＬＦと右後身頃部分ＲＢのプリーツ数が３本であって、左右方向の寸法が小さく、右前身頃部分ＲＦと左後身頃部分ＬＢのプリーツ数が７本であって、左右方向の寸法が大きいものである。よって、原料生地Ｍの短手方向の寸法が１８０cmの場合、上記の左前身頃部分ＬＦと右後身頃部分ＲＢの左右方向の寸法を９０cm以下とし、同右前身頃部分ＲＦと左後身頃部分ＬＢの左右方向の寸法を１８０cm以下とできた場合は、図９（Ｂ）に示すように、原料生地Ｍの短手方向から、右前身頃部分ＲＦ（左後身頃部分ＬＢ）を１枚、左前身頃部分ＬＦ（右後身頃部分ＲＢ）を２枚、各々連続して切り出すことができるため、図９（Ａ）の状態と図９（Ｂ）の状態を単純比較すると、従来よりも必要な生地の面積が３／４で済み、余り布の発生を小さくすることができるため、従来よりも低コストでキュロット型プリーツスカートを製造することができ、有利である。
また、図９（Ｂ）に示した、スカート１着あたりの各身頃部分を連続して切り出すことが可能であるが、各身頃部分の切り出しに際しての原料生地Ｍ上のレイアウトは、特に限定されるものではなく、原料生地Ｍから図９（Ｂ）に示した単位のまま連続させても良いし、例えば右前身頃部分ＲＦや左前身頃部分ＬＦのみを連続させても良い。
【図面の簡単な説明】
【００３５】
【図１】本願発明の実施の形態の一例に係るキュロット型プリーツスカートの外観を示す斜視図である。
【図２】本例のキュロット型プリーツスカートのプリーツを示す説明図である。
【図３】本例のキュロット型プリーツスカートの上部における各身頃部分の組み合わせを示す概略説明図である。
【図４】本例のキュロット型プリーツスカートの下部における各身頃部分の組み合わせを示す概略説明図である。
【図５】本例のキュロット型プリーツスカートの左前身頃部分及び右後身頃部分の展開状態を示す平面図である。
【図６】本例のキュロット型プリーツスカートの右前身頃部分及び左後身頃部分の展開状態を示す平面図である。
【図７】従来のキュロット型プリーツスカートの身頃部分の展開状態を示す平面図である。
【図８】従来のキュロット型プリーツスカートの各身頃部分の組み合わせを示す説明図である。
【図９】（Ａ）は従来のキュロット型プリーツスカートの各身頃部分の生地に対するレイアウトを示す概略説明図であり、（Ｂ）はキュロット型プリーツスカートの各身頃部分の生地に対するレイアウトを示す概略説明図である。
【符号の説明】
【００３６】
１          プリーツ
２          表襞
３          裏襞
４          表折り線
５          裏折り線
１０ｂ      第１（左）前身頃部分の右辺
１０ｄ      第１（左）前身頃部分の股上辺
１０ｅ      第１（左）前身頃部分の股下辺
１０ｇ      第２（右）前身頃部分の左辺
１０ｋ      第２（右）前身頃部分の股上辺
１０ｍ      第２（右）前身頃部分の股下辺
３１        第１裏襞
３２        第２裏襞
９１ｘ      裏側重なり代
９１ｙ      表側重なり代
９２ｘ      第１前側股割部形成代
９２ｙ      第２前側股割部形成代
９２ｘ’    第２後側股割部形成代
９２ｘ’    第１後側股割部形成代
ＬＦ        第１前身頃部分、左前身頃部分
ＲＦ        第２前身頃部分、右前身頃部分
ＬＢ        第１後身頃部分、左後身頃部分
ＲＢ        第２後身頃部分、右後身頃部分
Ｍ          原料生地
ｈ          ヒップライン
ｓ          裾ライン
イ          外周部
ロ          股割部
【図１】
2005113313.tif 000003
【図２】
2005113313.tif 000004
【図３】
2005113313.tif 000005
【図４】
2005113313.tif 000006
【図５】
2005113313.tif 000007
【図６】
2005113313.tif 000008
【図７】
2005113313.tif 000009
【図８】
2005113313.tif 000010
【図９】
2005113313.tif 000011